(57)【特許請求の範囲】
【請求項１】
トレイに挿入されたカートリッジを係合するとともに、前記カートリッジの取り出し操作で前記係合を解除する磁気テープ装置のカートリッジロック機構において、磁気テープのカートリッジが挿入されるカートリッジトレイを備え、前記カートリッジトレイには、前記カートリッジトレイに挿入される前記カートリッジで押圧されて一方に揺動するカムレバーと、前記カムレバーに連動してカートリッジ面に付勢され、前記カートリッジの係合部に係合するロックレバーと、前記カムレバーと前記ロックレバーの相対位置を維持するばねとを備え、前記カートリッジの取り出し操作によって前記ロックレバーをカートリッジ面とは反対方向に案内して、前記カートリッジの係合部との係合を解除する傾斜部を本体側に設けたことを特徴とする磁気テープ装置のカートリッジロック機構。
【請求項２】
トレイに挿入されたカートリッジを係合するとともに、前記カートリッジの取り出し操作で前記係合を解除する磁気テープ装置のカートリッジロック機構において、デッキベースの左右に相対置して立設された側板と、前記側板の内側に前後に移動自在に添設された案内板と、前記案内板の内側に挿入され磁気テープのカートリッジが挿入されるカートリッジトレイとを備え、前記カートリッジトレイには、前記カートリッジトレイに挿入される前記カートリッジで押圧されて一方に揺動するカムレバーと、前記カムレバーに連動してカートリッジ面に付勢され、前記カートリッジの係合部に係合するロックレバーと、前記カムレバーと前記ロックレバーの相対位置を維持するばねとを備え、前記側板には、前記カートリッジの取り出し操作によって前記ロックレバーをカートリッジ面とは反対方向に案内して、前記カートリッジの係合部との係合を解除する傾斜部を設けたことを特徴とする磁気テープ装置のカートリッジロック機構。
【請求項３】
前記ロックレバーは、前記カートリッジトレイに対して長円孔を介して移動自在であることを特徴とする請求項１又は２に記載の磁気テープ装置のカートリッジロック機構。
【請求項４】
前記案内板には、上端にラックが形成され、前記ラックは回転伝動具で連結されていることを特徴とする請求項２に記載の磁気テープ装置のカートリッジロック機構。
【発明の詳細な説明】
【０００１】
【発明の属する技術分野】
本発明は、磁気テープ装置における磁気テープカートリッジのカートリッジロック機構に関するものである。
【０００２】
【従来の技術】
特開２００１−１１８３０５号公報に開示された従来のカートリッジロック機構を図１５および図１６並びに図１７に示す。
【０００３】
これらの図において、カートリッジ１が挿入されたカートリッジトレイ２０の右側のロックレバー１９は、このカートリッジトレイ２０の右側に縦設されたピン２０−１に軸支されており、ロックレバー１９の先端には、図１６に示すフック１９−１が内側に突設されていて、その下部の先端の両側に傾斜部１９−２、１９−３を形成している。
【０００４】
このロックレバー１９は、図１５（ｂ）に示すように、下端に垂設されたばねフックピン１９−４と、カートリッジトレイ２０の裏面側に垂設されたばねフックピン２０−２に端部を係止された引っ張りばね２１の復帰力によって、カートリッジトレイ２０の内側の方向のトルクが付加されている。
【０００５】
ただし、カートリッジ１の挿入待機状態では、カートリッジトレイ２０の図示しないベースに突設されたピン２２にロックレバー１９の傾斜部１９−３が当接して、このロックレバー１９は図１５（ａ）、（ｂ）に示す開状態となる。
【０００６】
カートリッジ１が磁気テープ装置に挿入されると、カートリッジトレイ２０が押し込まれて、ロックレバー１９とピン２２の位置関係は図１７（ｂ）に示すデマウント位置になり、カートリッジ１の側面のロック穴１−１にフック１９−１が嵌合して、このカートリッジ１がロックされる。このとき、カートリッジトレイ２０には、図１７（ｂ）の矢印Ｆに示す方向の押圧力が図示しないばねによって付加されていて、ロックレバー１９はピン２２に押圧されている。
【０００７】
カートリッジ１が図１７に示す状態から引き抜かれると、ロックレバー１９は、カートリッジ１とともに引き抜かれる。このとき、カートリッジトレイ２０は、前述した図示しないばねによって図１７（ｂ）の矢印Ｆで示す方向へ押圧されているために、ロックレバー１９の先端とピン２２との接触部が傾斜部１９−２から傾斜部１９−３へ移動し、ロックレバー１９が押し開かれて、カートリッジロック機構が解錠される。
【０００８】
【発明が解決しようとする課題】
ところで、磁気テープ装置においては、まず、カートリッジをカートリッジトレイに挿入したときには、このカートリッジトレイからカートリッジが飛び出ないようにロックしておくことが必要であり、一方、カートリッジを取り出す際には、このロックが解除されてカートリッジがスムーズに取り出せる必要があって、カートリッジロック機構には、この二つの条件を満足することが要求される。ところが、前述した従来のカートリッジロック機構では、特にオートローダで媒体を出し入れするピッカによってカートリッジを取り出す場合に、必要な引き抜き力が増加して、カートリッジが取り出せないときがあった。
【０００９】
すなわち、従来のカートリッジロック機構では、片側だけのロックのために、カートリッジ１の引き抜き時にフック１９−１を支点としてモーメントが働いて、カートリッジ１の引き抜き力が変動する。さらに、衝撃等によってロックレバー１９の傾斜部１９−２がピン２２から外れてロックが解除され、カートリッジ１がカートリッジトレイ２０から飛び出すおそれがある。
【００１０】
そこで、本発明の目的は、カートリッジの引き抜き力の変動を防ぎ、カートリッジを円滑に取り出すことのできる磁気テープ装置のカートリッジロック機構を提供することである。
【００１１】
【課題を解決するための手段】
上記の課題を解決するために、本発明の請求項１に対応する磁気テープ装置のカートリッジロック機構は、トレイに挿入されたカートリッジを係合するとともに、前記カートリッジの取り出し操作で前記係合を解除する磁気テープ装置のカートリッジロック機構において、磁気テープのカートリッジが挿入されるカートリッジトレイを備え、前記カートリッジトレイには、前記カートリッジトレイに挿入される前記カートリッジで押圧されて一方に揺動するカムレバーと、前記カムレバーに連動してカートリッジ面に付勢され、前記カートリッジの係合部に係合するロックレバーと、前記カムレバーと前記ロックレバーの相対位置を維持するばねとを備え、前記カートリッジの取り出し操作によって前記ロックレバーをカートリッジ面とは反対方向に案内して、前記カートリッジの係合部との係合を解除する傾斜部を本体側に設けたことを特徴とする。
【００１２】
また、本発明の請求項２に対応する磁気テープ装置のカートリッジロック機構は、トレイに挿入されたカートリッジを係合するとともに、前記カートリッジの取り出し操作で前記係合を解除する磁気テープ装置のカートリッジロック機構において、デッキベースの左右に相対置して立設された側板と、前記側板の内側に前後に移動自在に添設された案内板と、前記案内板の内側に挿入され磁気テープのカートリッジが挿入されるカートリッジトレイとを備え、前記カートリッジトレイには、前記カートリッジトレイに挿入される前記カートリッジで押圧されて一方に揺動するカムレバーと、前記カムレバーに連動してカートリッジ面に付勢され、前記カートリッジの係合部に係合するロックレバーと、前記カムレバーと前記ロックレバーの相対位置を維持するばねとを備え、前記側板には、前記カートリッジの取り出し操作によって前記ロックレバーをカートリッジ面とは反対方向に案内して、前記カートリッジの係合部との係合を解除する傾斜部を設けたことを特徴とする。
【００１３】
なお、ロックレバーは、カートリッジトレイに対して長円孔を介して移動自在としてもよく、また、案内板には、上端にラックが形成され、このラックは回転伝動具で連結されていることが好ましい。
【００１５】
【発明の実施の形態】
以下、本発明の磁気テープ装置のカートリッジロック機構の一実施の形態を図面を参照して詳述する。
この磁気テープ装置のカートリッジロックする機構は、図１および図２並びに図３に示すように、長方形のデッキベース１５の左右に平行に立設された右側面板１３および左側面板１４と、これらの間に前後方向に移動自在に挿入される門形のカートリッジトレイ２を骨組みとして構成されており、左右がほぼ対称形をなしていて、このカートリッジトレイ２に図４で示すカートリッジ１が挿脱される。
【００１６】
このうちカートリッジトレイ２は、図３に示すように、右側面の中間上部にガイドピン２−１を突設し、このガイドピン２−１の下部の内側に小形のピン２−４を突設しており、また、左側面の前方にガイドピン２−２を突設し、このガイドピン２−２の後方にガイドピン２−３を突設している。また、ガイドピン２−２の下部の内側に小形のピン２−５を突設し、ピン２−４の前側に近接してフック部２−６が、同じく、ピン２−５の前側に近接してフック部２−７が形成される。さらに、このカートリッジトレイ２の上部の左後方に孔２−８が形成されており、上面には、図３（ａ）、（ｂ）に示すように、このカートリッジトレイ２の曲げ剛性を上げるための凸部２−９、２−１０および凸部２−１１が形成されている。このうち右側面のガイドピン２−４には、図２（ａ）のＸ部の右ロックレバー３を拡大した図５（ａ）、（ｂ）、（ｃ）で示すように、右ロックレバー３が後部の長円孔３−５を介して揺動自在に軸支されており、この右ロックレバー３は、前端にかぎ状のフック部３−１を有し、その下部にボス３−２が、右側面の中間部にフックピン３−３が、その下部に突起３−４が突設される。また、フックピン３−３とフック部２−６にロックレバーばね５（引っ張りばね）が係止される。したがって、右ロックレバー３はピン２−４を軸として揺動自在で、かつ、長円孔３−５を介して前後方向に移動可能であり、さらに、ロックレバーばね５によって、図５（ｃ）の矢印Ａ１で示す方向に引っ張られ、且つ、ピン２−４を支点として矢印Ｂ１で示す上方へのモーメントが常時付加されている。
【００１７】
右ロックレバー３の内面側には、ピン２−４に中間部を軸支されたカムレバー６が添設されており、このカムレバー６は、後部の上端に緩やかな傾斜部６−１を形成し、この傾斜部６−１の基部側の上端にストッパ６−２を、前端にハンド６−３を有し、このハンド６−３の下面は突起３−４の上面に当接している。
【００１８】
さらに、これらの右ロックレバー３と右カムレバー６の間には、右カムレバーばね８（トーションばね）がピン２−４を介して介挿され、この右カムレバーばね８の一端は右カムレバー６の下端に係止され、他端はカートリッジトレイ２の右側の下部（図示せず）に係止される。
【００１９】
したがって、右ロックレバー３には、たとえ、矢印Ｂ１で示す方向のモーメントがロックレバーばね５で付加されていても、一方では、カムレバーばね８の復帰力でハンド６−３が突起３−４の上面に接触しているので、図５で示す水平状態を維持している。
【００２０】
この結果、カートリッジ１をカートリッジトレイ２に後述するように挿入する場合にも、この右カムレバー６は、右カムレバーばね８の復帰力によって、図５（ｃ）の矢印Ｃ１で示す方向へのモーメントがピン２−４を支点として常時付加されている。
【００２１】
同様に、カートリッジトレイ２の左側面のピン２−５にも、図２（ｃ）のＹ部の左ロックレバー４の拡大図となる図５（ｄ）、（ｅ）、（ｆ）で示すように、右ロックレバー３と同形の左ロックレバー４が後部の長円孔４−５を介して揺動自在に軸支されており、この左ロックレバー４も、前端にフック部４−１を、その下部にボス４−２を有し、左側面の中間部にフックピン４−３を、その下部に突起４−４を突設している。
【００２２】
そのため、この左ロックレバー４も揺動自在で、かつ、長円穴孔４−５を介して前後方向に移動可能であり、さらに、フック部２−７とフックピン４−３に両端が係止されたロックレバーばね５によって、図５（ｆ）の矢印Ａ１で示す方向に引っ張られ、且つ、ピン２−５を支点として図５（ｆ）の矢印Ｂ３で示す上方へのモーメントが常時付加されている。
【００２３】
左ロックレバー４の内面側にも、ピン４−４に中間部を軸支されたカムレバー７が添設されており、このカムレバー７も後部の上端に傾斜部７−１を形成し、この傾斜部７−１の基部側の上端にストッパ７−２を、先端にハンド７−３を有し、このハンド７−３の下面は突起４−４の上面に当接している。
【００２４】
これらの左ロックレバー４と左カムレバー７の間にも、左カムレバーばね９（トーションばね）がピン２−５を介して介挿され、この左カムレバーばね９の一端は左カムレバー７の下端に係止され、他端はカートリッジトレイ２の下部（図示せず）に係止される。
【００２５】
したがって、左ロックレバー４には、ロックレバーばね５で矢印Ｂ３で示す方向のモーメントが常時付加されているが、一方では、左カムレバーばね９の復帰力でハンド７−３が突起４−４に接触しているので、図５（ｆ）で示す水平状態を維持する。
【００２６】
この結果、カートリッジ１をカートリッジトレイ２へ挿入する場合にも、この右カムレバー７は、右カムレバーばね９の復帰力によって、矢印Ｃ３で示す方向に常時トルクが付加されている。
【００２７】
一方、図２（ｂ）のＺ部および図３（ａ）に示すように、カートリッジトレイ２の上面後部の左端に垂設されたトレイロックレバー軸１１の下部には、カートリッジトレイ２を左側板１４に後述するようにロックする図６で示すトレイロックレバー１０とトレイロックレバーばね１２（トーションばね）が上下に軸支されている。
【００２８】
このうち、トレイロックレバー１０には、長腕側の先端にフック１０−１が、短腕側の先端にカム１０−２がそれぞれ付設されており、トレイロックレバーばねの片側はカム１０−２の前面側に係止され他側はカートリッジトレイ２の前端（図示せず）に係止されている。
【００２９】
したがって、このトレイロックレバー１０は、トレイロックレバーばね１２の復帰力によって図６（ａ）の矢印Ｄ２で示す時計方向のトルクが常時付加されており、フック１０−１は、カートリッジ１が挿入されるまでは、図３に示すようにカートリッジトレイ２の左端後部に形成された孔２−８から外側に突出している。
【００３０】
また、図１および図２に示すように、カートリッジトレイ２をローディングする機構は、前述した右側板１３および左側板１４と、これらの内側に移動自在に添設された右案内板１７および左案内板１８並びにピニオンギア１６などで構成されており、これらの右案内板１７および左案内板１８の内側にカートリッジトレイ２の側板が挿入される。
【００３１】
このうち、右案内板１７の上端にはラック１７−１が、左案内板１８の上端にはラック１８−１が形成されており、これらのラック１７−１、ラック１８−１には、ピニオンギア１６がそれぞれ歯合していて、これらのピニオンギア１６は、軸１６−１で互いに直結されている。
【００３２】
さらに、右側板１３には、図１（ｂ）および図２（ａ）に示すように、カートリッジトレイ２のガイドピン２−１が挿通するとともに水平部の先端が下方に僅かに湾曲したガイド溝１３−１が上部の中央に形成されており、このガイド溝１３−１の上部に図１（ｂ）で示す軸孔１３−３を形成し、この軸孔１３−３でギア軸１６−１の右端を支持している。
【００３３】
また、右側板１３の前端下部の内側には、後述するカートリッジ１の挿脱時に右ロックレバー３のボス３−２が内側の前面に接触して、この右ロックレバー３を下向きに揺動させる傾斜部１３−２を有する。
【００３４】
一方、左側板１４には、図１（ａ）および図２（ｃ）で示すように、上部の前後に対して、ガイドピン２−２、２−３が挿通するとともに先端に下方に湾曲部を形成したガイド溝１４−１、１４−２が横に形成されており、これらの前後の溝の間にロック孔１４−３を形成していて、このロック孔１４−３に図３（ｂ）で示す孔２−８から突き出たフック１０−１が係合し、カートリッジトレイ２のローディング時の誤作動を防いでいる。
【００３５】
さらに、この左側板１４には、図１（ａ）で示すように、ギア軸１６−１の端部を支える軸孔１４−５が軸孔１３−３と対置して上部の中央に形成されており、さらに、後述するカートリッジ１の挿脱時に左ロックレバー４のボス４−２が内側の前面に接触して、この左ロックレバー４を下向きに揺動させる傾斜部１４−４が左前端下部に形成されている。
【００３６】
一方、右案内板１７には、図２（ａ）で示すように、カートリッジ２のガイドピン２−１が挿通し先端側が上向きに傾斜した弧状のガイド溝１７−２が上部に形成され、左案内板１８にも図２（ｃ）で示すように、ガイドピン２−２が挿通する弧状のガイド溝１８−２と、ピン２−３が挿通する弧状のガイド溝１８−３が前後に形成される。
【００３７】
図１および図２に示すように、ローディング動作前のカートリッジトレイ２と左右の案内板１７、１８は、デッキベース１５の前面側に位置しており、ロックレバー３、４は、図２（ａ）、（ｃ）に示すように、カムレバー６、７のハンド６−３、７−３によって下方に押圧された状態になっている。
【００３８】
また、トレイロックレバー１０は、図２（ｂ）で示すように、フック１０−１がロック孔１４−３に係合していることで、カートリッジトレイ２の移動をロックしている。
【００３９】
図４は、本発明の磁気テープ装置のカートリッジロック機構に挿入されてロック対象となるカートリッジ１を示し、このカートリッジ１は、紙面において前後側となる左右の側面の中間下部にロック機構の一方となるロック穴１−１、１−２を形成し、矢印で示す挿入方向の先端面１−３は平面となっている。
次に、このように構成された磁気テープ装置のカートリッジロック機構の作用を説明する。
【００４０】
カートリッジ１をカートリッジトレイ２に挿入すると、このカートリッジ１の先端面１−３の下端が、左右のカムレバー６、７の傾斜部６−１、７−１の上面にまず接触する。更にこのカートリッジ１を挿入すると、図７（ａ）、（ｃ）に示すように、カートリッジ１の底面がカムレバー６、７の上端面を押圧して、このカムレバー６、７を図５（ｃ）の矢印Ｃ２で示す下向きに揺動させる。
【００４１】
すると、突起３−４、４−４にハンド６−３、７−３が当接していた左右のロックレバー３、４が図５の矢印Ｂ１に示す上方向へ揺動し、図８、図９に示すように、フック３−１、４−１がカートリッジ１のロック穴１−１、１−２にそれぞれ嵌合して、カートリッジ１がカートリッジトレイ２にロックされる。
したがって、カートリッジトレイ２からのカートリッジ１の飛び出しが阻止されて、発明が解決しようとする課題で述べたこのカートリッジロック機構に要求されるカートリッジ挿入時の条件が満足される。
【００４２】
これと同時に、図１３（ａ）、（ｂ）に示すように、カートリッジ１の先端面１−３でトレイロックレバー１０のカム１０−２を図１３（ａ）から（ｂ）の矢印Ｄ１に示すように押圧するとともにし、このトレイロックレバー１０を図６の矢印Ｄ２および図１３（ｂ）の矢印Ｄに示す反時計方向に揺動させる。すると、図８（ｂ）、図９（ｂ）および図１０（ｂ）に示すように、フック１０−１がロック孔１４−３から脱出して、カートリッジトレイ２のロックが解除される。
【００４３】
このように、カートリッジ１がロックされ、かつ、カートリッジトレイ２が解錠されると、電動機２７が駆動されて、図示しない減速ギア列を介して案内板１７が図９（ｃ）の矢印Ｅで示す挿入方向へ駆動される。すると、この案内板１７のラック１７−１を介してピニオンギア１６が回転し、ギア軸１６−１および左側のピニオンギア１６とラック１８−１を介して、図９（ｃ）の矢印Ｅで示すように左案内板１８も挿入方向に駆動されることで、左右の案内板１７、１８は同時に挿入方向へ移動する。
【００４４】
このとき、カートリッジトレイ２は、右側板１３のガイド溝１３−１と案内板７のガイド溝１７−２に挿通したガイドピン２−１とともに右側が移動するとともに、左側でも、ガイド溝１４−１、１８−２に挿通したガイドピン２−２とガイド溝１４−２、１８−３に挿通したガイドピン２−３とともに移動する。
【００４５】
なお、この動作は、ギア軸６−１によって左右が同期し、かつ、カートリッジトレイ２は、図９（ａ）、（ｃ）と図１０（ａ）、（ｃ）に示すように、ピン２−１がガイド溝１７−２に従って徐徐に下降して、ガイド溝１３−１の先端の湾曲部の下端に達し、同じく、ピン２−２とピン７２−３もガイド溝１８−２とガイド溝１８−３に従って徐徐に下降し、ガイド溝１４―１とガイド溝１４−２の先端の湾曲部の下端に達して、案内板１７、１８がローディング完了位置になると停止する。
【００４６】
カートリッジ１のアンロード時は、ローディング時の動作の逆となるが、図８で示すデマウント位置からの動作が異なる。このデマウント位置では、左右のロックレバー３、４がカートリッジ１のロック溝１−１、１−２を介してカートリッジ１をロックして、カートリッジトレイ２からの飛び出しを防いでいるので、カートリッジ１は取り出すことができない。
【００４７】
しかし、左右のロックレバー３、４は、長円孔３−５、４−５に挿通したピン２−４、２−５のストローク分は矢印Ａ２で示す引き抜き方向にカートリッジ１の引き抜き動作に従って移動する。
【００４８】
すると、左右のロックレバー３、４は、ボス３−２が傾斜部１３−２の上部に、ボス４−２が傾斜部１４−４の上部にそれぞれ接触するとともに、図１１および図１２の矢印Ａの先端部の状態の図に示すように、引抜き方向へ移動しながら傾斜部１３−２、１４−４の下面に沿って移動することによって、図５の矢印Ｂ２で示す下向きに揺動する。
【００４９】
この左右のロックレバー３、４の下向きの揺動によって、図１１（ａ）、（ｃ）に示すように、フック部３−１、４−１がロック穴１−１、１−２から下方へ脱出し、カートリッジ１のロックが解錠されこのカートリッジ１が取り出し可能となって、発明が解決しようとする課題で述べたこのカートリッジロック機構に要求されるカートリッジ取り出し時の条件が満足される。
【００５０】
このカートリッジ１のロックを解錠したロックレバー３、４は、ロックレバーばね５の復帰力によって、図５の矢印Ａ１で示す後方と矢印Ｂ１、Ｂ３で示す上方へ引っ張られるが、カートリッジ１が引き抜かれることで、カムレバーばね８、９の復帰力によって、カムレバー６、７が矢印Ｃ１で示す上向きに揺動する。
【００５１】
すると、ハンド６−３、７−３によって突起３−４、４−４がそれぞれ押圧され、ロックレバー３、４は図５に示す状態に維持されて、初期のカートリッジ１の挿入待機状態に復帰する。
【００５２】
一方、カートリッジ１でカム１０−２が押圧されていたトレイロックレバー１０は、カートリッジ１の取り出しに伴うトレイロックレバーばね１２の復帰力によって、図６の矢印Ｄ２で示す時計方向に揺動し、図３（ａ）および図７（ｂ）で示すように、フック１０−１がロック孔１４−３に係合して、カートリッジトレイ２がロックされる。
【００５３】
このように、本発明では、左右のロックレバー３、４などによるカートリッジロック機構を左右の両側に設け、且つ、飛び出しロックレバーとしてのトレイロックレバー１０とカムレバー６、７などの機構により、カートリッジ挿入待機状態とデマウント位置間のカートリッジトレイの移動を防いだので、発明が解決しようとする課題で挙げたカートリッジロック機構のカートリッジ挿入時と取り出し時のロック機構に要求される二つの条件を満たし、かつ、カートリッジの引き抜き力が安定するのみならず、衝撃等による予期しないカートリッジロックの解除のおそれも解消することができる。
【００５４】
次に、本発明の磁気テープ装置のカートリッジロック機構の参考例を図１４を参照して説明する。
【００５５】
この参考例では、左右のロックレバー３、４をモータで駆動したことが前述した実施の形態と異なっており、カートリッジを検出するセンサ２３がカートリッジトレイ２の後方に設置され、モータ２４がカートリッジトレイ２の側面の片側の下部に設置される。
【００５６】
図１４（ｂ）で示すモータ２４の軸２４−１には、この軸２４−１に直交する軸２５が取り付けられており、この軸２５がロックレバー４（注．ここでは、便宜上左側のロックレバーで説明する。）に設けられた穴４−６に挿入されていて、図中矢印Ｇ１−Ｇ２の方向に摺動可能である。
【００５７】
また、軸２４−１とロックレバー４の間に圧縮コイルばね２６が軸２５を介して挿着され、ロックレバー４を矢印Ｇ２の方向に押圧している。
【００５８】
次に、このカートリッジロック機構の動作を説明する。カートリッジ１がカートリッジトレイ２に挿入されると、端面１−３がセンサ２３に接触してカートリッジを検知する。すると、モータ２４が起動しロックレバー４が揺動して、カートリッジ１がロックされる。
【００５９】
カートリッジ１が取り出されるときは、このカートリッジ１を引き抜くとロックレバー４が矢印Ｇ２の方向に引っ張られる。これと同時に、先端面１−３がセンサ２３から離れて、このモータの電源側の図示しないスイッチが遮断される。すると、電源回路が切り替えられてモータ２４が逆回転しカートリッジのロックが解除され、ロックレバー４は、圧縮コイルばね２６によって矢印Ｇ１の方向へ押圧され、カートリッジ挿入待機状態に復帰する。なお、モータ２４の軸にエンコーダ等を連結することで、ロックレバー４の回転角を制御すれば、確実にロックとアンロックが可能となる。
【００６０】
【発明の効果】
以上、詳述したように、本発明の請求項１に対応する磁気テープ装置のカートリッジロック機構によれば、トレイに挿入されたカートリッジを係合するとともに、前記カートリッジの取り出し操作で前記係合を解除する磁気テープ装置のカートリッジロック機構において、磁気テープのカートリッジが挿入されるカートリッジトレイを備え、前記カートリッジトレイには、前記カートリッジトレイに挿入される前記カートリッジで押圧されて一方に揺動するカムレバーと、前記カムレバーに連動してカートリッジ面に付勢され、前記カートリッジの係合部に係合するロックレバーと、前記カムレバーと前記ロックレバーの相対位置を維持するばねとを備え、前記カートリッジの取り出し操作によって前記ロックレバーをカートリッジ面とは反対方向に案内して、前記カートリッジの係合部との係合を解除する傾斜部を本体側に設けたので、カートリッジの引き抜き力の変動を防ぎ、カートリッジを円滑に取り出すことのできる磁気テープ装置のカートリッジロック機構を提供することができる。
【００６１】
また、本発明の請求項２に対応する磁気テープ装置のカートリッジロック機構によれば、トレイに挿入されたカートリッジを係合するとともに、前記カートリッジの取り出し操作で前記係合を解除する磁気テープ装置のカートリッジロック機構において、デッキベースの左右に相対置して立設された側板と、前記側板の内側に前後に移動自在に添設された案内板と、前記案内板の内側に挿入され磁気テープのカートリッジが挿入されるカートリッジトレイとを備え、前記カートリッジトレイには、前記カートリッジトレイに挿入される前記カートリッジで押圧されて一方に揺動するカムレバーと、前記カムレバーに連動してカートリッジ面に付勢され、前記カートリッジの係合部に係合するロックレバーと、前記カムレバーと前記ロックレバーの相対位置を維持するばねとを備え、前記側板には、前記カートリッジの取り出し操作によって前記ロックレバーをカートリッジ面とは反対方向に案内して、前記カートリッジの係合部との係合を解除する傾斜部を設けたので、カートリッジの引き抜き力の変動を防ぎ、カートリッジを円滑に取り出すことのできる磁気テープ装置のカートリッジロック機構を提供することができる。
【図面の簡単な説明】
【図１】本発明の磁気テープ装置のカートリッジロック機構の実施の形態を示す斜視図で、（ａ）は前側左上方から見た図、（ｂ）は前側右上方から見た図である。
【図２】本発明の磁気テープ装置のカートリッジロック機構の実施の形態のカートリッジトレイとトレイロック機構及びカートリッジロック機構の構成を示す図で、（ｂ）は平面図、（ａ）は（ｂ）の背面図、（ｃ）は前面図である。
【図３】本発明の磁気テープ装置のカートリッジロック機構の実施の形態のカートリッジトレイに組み込まれるロックレバー及びトレイロックレバーのカートリッジ挿入前の動作を示す斜視図で、（ａ）は前側左上方から見た図、（ｂ）は前側右上方から見た図である。
【図４】本発明の磁気テープ装置のカートリッジロック機構の実施の形態のカートリッジトレイに挿脱されるカートリッジの外観を示し、（ｂ）は平面図、（ａ）は（ｂ）の背面図、（ｃ）は（ｂ）の前面図である。
【図５】本発明の磁気テープ装置のカートリッジロック機構の実施の形態のカートリッジ挿入前の左右のロックレバーを示す部分拡大図を示し、（ｂ）、（ｅ）は平面図、（ａ）は（ｂ）、（ｄ）は（ｅ）の背面図、（ｃ）は（ｂ）、（ｆ）は（ｅ）の前面図である。
【図６】本発明の磁気テープ装置のカートリッジロック機構の実施の形態のカートリッジ挿入前のトレイロックレバーを示す部分拡大図を示し、（ｂ）は平面図、（ａ）は（ｂ）の背面図である。
【図７】本発明の磁気テープ装置のカートリッジロック機構の実施の形態のカートリッジ挿入直後のロックレバー、カムレバー及びトレイロックレバーの動作を示す図で、（ｂ）は平面図、（ａ）は（ｂ）の背面図、（ｃ）は（ｂ）の前面図である。
【図８】本発明の磁気テープ装置のカートリッジロック機構の実施の形態のカートリッジのロック時（デマウント状態）のロックレバーの動作を示す図で、（ｂ）は平面図、（ａ）は（ｂ）の背面図、（ｃ）は（ｂ）の前面図である。
【図９】本発明の磁気テープ装置のカートリッジロック機構の実施の形態のカートリッジローディングの動作を示す図で、（ｂ）は平面図、（ａ）は（ｂ）の背面図、（ｃ）は（ｂ）の前面図である。
【図１０】本発明の磁気テープ装置のカートリッジロック機構の実施の形態のカートリッジの挿入完了（マウント）状態を説明する図で、（ｂ）は平面図、（ａ）は（ｂ）の背面図、（ｃ）は（ｂ）の前面図である。
【図１１】本発明の磁気テープ装置のカートリッジロック機構の実施の形態のカートリッジをカートリッジトレイから引き抜くときのロックレバー及びカムレバーの状態を示し、（ｂ）は平面図、（ａ）は（ｂ）の背面図、（ｃ）は（ｂ）の前面図である。
【図１２】本発明の磁気テープ装置のカートリッジロック機構の実施の形態の左ロックレバー及び左カムレバーのカートリッジロックからアンロックまでの一連の動作経過を示す説明図である。
【図１３】本発明の磁気テープ装置のカートリッジロック機構の実施の形態のトレイロックレバーの動作を示す説明図で、（ａ）はカートリッジの先端が接触する直前を、（ｂ）は接触した状態を示す。
【図１４】本発明の磁気テープ装置のカートリッジロック機構の参考例を示す図で、（ａ）はカートリッジトレイの斜視図、（ｂ）は（ａ）の部分拡大平面図である。
【図１５】従来の磁気テープ装置のカートリッジロック機構に組み込まれるカートレッジトレイとカートリッジを示す図で、（ａ）は全体斜視図、（ｂ）はロックレバー周辺の拡大平面図。
【図１６】従来の磁気テープ装置のカートリッジロック機構に組み込まれたロックレバーを示す拡大斜視図である。
【図１７】従来の磁気テープ装置のカートリッジロック機構の作用を説明するための図で、（ａ）は全体斜視図、（ｂ）は（ａ）のロックレバー周辺の拡大平面図である。
【符号の説明】
１  カートリッジ
１−１、１−２  ロック溝
１−３  先端面
２  カートリッジトレイ
２−１、２−２、２−３  ガイドピン
２−４、２−５  ピン
２−８  孔
３  右ロックレバー
３−１  フック部
３−２  ボス
３−３  フックピン
３−４  突起
３−５  長円孔
４  左ロックレバー
４−１  フック部
４−２  ボス
４−３  フックピン
４−４  突起
４−５  長円孔
５  ロックレバーばね
６  右カムレバー
６−１  傾斜部
６−２  ストッパ
６−３  ハンド
７  左カムレバー
７−１  傾斜部
７−２  ストッパ
７−３  ハンド
８  右カムレバーばね
９  左カムレバーばね
１０  トレイロックレバー
１０−１  フック部
１０−２  カム
１１  トレイロックレバー軸
１２  トレイロックレバーばね
１３  右側板
１３−１  ガイド溝
１３−２  傾斜部
１３−３  孔
１４  左側板
１４−１、１４−２  ガイド溝
１４−３  ロック孔
１４−４  傾斜部
１４−５  孔
１５  デッキベース
１６  ピニオンギア
１６−１  ギア軸
１７  右案内板
１７−１  ラック
１７−２  ガイド溝
１８  左案内板
８−１  ラック
１８−２、１８−３  ガイド溝
１９  ロックレバー
２０  カートリッジトレイ
２１  引っ張りばね
２２  ピン
２３  センサ
２４  モータ
２５  軸
２６  圧縮コイルばね
２７  電動機
【図１】
0003577031.tif 000002
【図２】
0003577031.tif 000003
【図３】
0003577031.tif 000004
【図４】
0003577031.tif 000005
【図５】
0003577031.tif 000006
【図６】
0003577031.tif 000007
【図７】
0003577031.tif 000008
【図８】
0003577031.tif 000009
【図９】
0003577031.tif 000010
【図１０】
0003577031.tif 000011
【図１１】
0003577031.tif 000012
【図１２】
0003577031.tif 000013
【図１３】
0003577031.tif 000014
【図１４】
0003577031.tif 000015
【図１５】
0003577031.tif 000016
【図１６】
0003577031.tif 000017
【図１７】
0003577031.tif 000018